【手続補正書】
【提出日】令和3年2月3日(2021.2.3)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ワイヤレスチャネルを介して符号語を受信するステップであって、前記符号語がポーラ符号を使用して符号化される、ステップと、
前記受信された符号語内のパンクチャドビット位置のセットを特定するステップと、
前記符号化のために情報ビットに使用される前記ポーラ符号のビット位置のセットを特定するステップであって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの前記情報ビットの各部分の、前記ビットチャネルパーティションへの割当てとによって決定される情報ビット割振りに少なくとも部分的に基づいて決定され、第1の分極段階についての目標相互情報が、前記情報ビットの数および前記受信された符号語内のアンパンクチャドビット位置の数の関数として決定される、ステップと、
前記受信された符号語を前記ポーラ符号に従って復号して前記ビット位置のセットにおける情報ビットベクトルを取得するステップとを含む方法。
【請求項２】
ワイヤレス通信のための方法であって、
ポーラ符号を使用して符号化された符号語を受信するステップと、
前記符号化のために情報ビットに使用される前記ポーラ符号のビット位置のセットを特定するステップであって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの前記情報ビットの各部分の、前記ビットチャネルパーティションへの割当てとによって決定される情報ビット割振りに少なくとも部分的に基づいて決定され、前記相互情報伝達関数が、バイナリ消去チャネル(BEC)関数および補正項に基づく、ステップと、
前記受信された符号語を前記ポーラ符号に従って処理して前記ビット位置のセットにおける情報ビットベクトルを取得するステップとを含む方法。
【請求項３】
ワイヤレス通信のための装置であって、
ワイヤレスチャネルを介して符号語を受信するための手段であって、前記符号語がポーラ符号を使用して符号化される、手段と、
前記受信された符号語内のパンクチャドビット位置のセットを特定するための手段と、
前記符号化のために情報ビットに使用される前記ポーラ符号のビット位置のセットを特定するための手段であって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの前記情報ビットの各部分の、前記ビットチャネルパーティションへの割当てとによって決定される情報ビット割振りに少なくとも部分的に基づいて決定され、第1の分極段階についての目標相互情報が、前記情報ビットの数および前記受信された符号語内のアンパンクチャドビット位置の数の関数として決定される、手段と、
前記受信された符号語を前記ポーラ符号に従って復号して前記ビット位置のセットにおける情報ビットベクトルを取得するための手段とを備える装置。
【請求項４】
ワイヤレス通信のための装置であって、
ポーラ符号を使用して符号化された符号語を受信するための手段と、
前記符号化のために情報ビットに使用される前記ポーラ符号のビット位置のセットを特定するための手段であって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの前記情報ビットの各部分の、前記ビットチャネルパーティションへの割当てとによって決定される情報ビット割振りに少なくとも部分的に基づいて決定され、前記相互情報伝達関数が、バイナリ消去チャネル(BEC)関数および補正項に基づく、手段と、
前記受信された符号語を前記ポーラ符号に従って処理して前記ビット位置のセットにおける情報ビットベクトルを取得するための手段とを備える装置。
【請求項５】
ワイヤレス通信のための方法であって、
ポーラ符号を使用して情報ビットベクトルから生成すべき符号語を送信するためのパンクチャドビット位置のセットを特定するステップと、
前記情報ビットベクトルの情報ビットに使用すべき前記ポーラ符号のビット位置のセットを特定するステップであって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの情報ビットの各部分の、前記ビットチャネルパーティションへの割当てとによって決定される情報ビット割振りに少なくとも部分的に基づいて決定され、第1の分極段階についての目標相互情報が、前記情報ビットの数および受信された符号語内のアンパンクチャドビット位置の数の関数として決定される、ステップと、
前記ポーラ符号を使用して前記ビット位置のセットにマップされた前記情報ビットベクトルを符号化して前記符号語を取得するステップと、
ワイヤレスチャネルを介して前記符号語を送信するステップであって、前記送信するステップは、前記パンクチャドビット位置の前記セットの所で前記符号語をパンクチャするステップを含む、ステップとを含む方法。
【請求項６】
前記目標相互情報は、前記情報ビットの前記数を、前記受信された符号語内のアンパンクチャドビット位置の前記数で除算した値として決定される、請求項1または5に記載の方法。
【請求項７】
前記分極の前記少なくとも1つの段階に関して、前記ビットチャネルパーティションの各々の各ビットチャネルの容量は、前記分極の前の段階からの入力ビットチャネルのビットチャネル容量および前記相互情報伝達関数に基づいて決定される、請求項1または5に記載の方法。
【請求項８】
ワイヤレス通信のための方法であって、
ポーラ符号を使用した符号化のための情報ビットベクトルを特定するステップと、
前記情報ビットベクトルの情報ビットに使用すべき前記ポーラ符号のビット位置のセットを特定するステップであって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの情報ビットの各部分の、前記ビットチャネルパーティションへの割当てとによって決定される情報ビット割振りに少なくとも部分的に基づいて決定され、前記相互情報伝達関数が、バイナリ消去チャネル(BEC)関数および補正項に基づく、ステップと、
前記ポーラ符号を使用して前記ビット位置のセットにマップされた前記情報ビットベクトルを符号化して符号語を取得するステップと、
前記符号語をワイヤレスチャネルを介して送信するステップとを含む方法。
【請求項９】
前記符号化のために情報ビットに使用される前記ポーラ符号の前記ビット位置のセットは、コーディング済みビットの異なる数、情報ビットの異なる数、パンクチャドビットの異なる数、パンクチャリングの異なる種類、またはそれらの組合せについての情報ビット割振りを示すテーブルに基づいて特定される、請求項1、2、5、または8に記載の方法。
【請求項１０】
前記ビットチャネルパーティションに割り当てられる前記情報ビットは、所定の順序で前記ビットチャネルパーティションのビットチャネルに割り当てられる、請求項1、2、5、または8に記載の方法。
【請求項１１】
前記ビットチャネルパーティションに割り当てられる前記情報ビットは、前記ポーラ符号を使用して生成されるコーディング済みビットの数、前記情報ビットの数、前記符号語をパンクチャするために使用されるパンクチャリングの種類、またはそれらの組合せの関数に基づいて前記ビットチャネルパーティションの前記ビットチャネルに割り当てられる、請求項10に記載の方法。
【請求項１２】
前記ビットチャネルパーティションに割り当てられる前記情報ビットは、コーディング済みビットの異なる数、情報ビットの異なる数、パンクチャリングの異なる種類、またはそれらの組合せについての前記所定の順序を示すテーブルに基づいて前記所定の順序で前記ビットチャネルパーティションの前記ビットチャネルに割り当てられる、請求項10に記載の方法。
【請求項１３】
ワイヤレス通信のための装置であって、
ポーラ符号を使用して情報ビットベクトルから生成すべき符号語を送信するためのパンクチャドビット位置のセットを特定するための手段と、
前記情報ビットベクトルの情報ビットに使用すべき前記ポーラ符号のビット位置のセットを特定するための手段であって、前記ビット位置のセットが、分極の少なくとも1つの段階についての前記ポーラ符号のビットチャネルの再帰的区分と、ビットチャネルパーティションのそれぞれの総容量の相互情報伝達関数に基づく、前記分極の前記少なくとも1つの段階のいくつかの情報ビットの各部分の、前記ビットチャネルパーティションへの割当てとによって決定される情報ビット割振りに少なくとも部分的に基づいて決定され、第1の分極段階についての目標相互情報が、前記情報ビットの数および受信された符号語内のアンパンクチャドビット位置の数の関数として決定される、手段と、
前記ポーラ符号を使用して前記ビット位置のセットにマップされた前記情報ビットベクトルを符号化して前記符号語を取得するための手段と、
ワイヤレスチャネルを介して前記符号語を送信するための手段であって、前記送信することは、前記パンクチャドビット位置の前記セットの所で前記符号語をパンクチャすることを含む、手段とを備える装置。
【請求項１４】
ワイヤレス通信のための装置であって、
ポーラ符号を使用した符号化のための情報ビットベクトルを特定するための手段と、
前記情報ビットベクトルの情報ビットに使用すべき前記ポーラ符号のビット位置のセットを特定するための手段であって、前記ビット位置のセットが、分極の少なくとも1つの段階についての前記ポーラ符号のビットチャネルの再帰的区分と、およびビットチャネルパーティションのそれぞれの総容量の相互情報伝達関数に基づく、前記分極の前記少なくとも1つの段階のいくつかの情報ビットの各部分の、前記ビットチャネルパーティションへの割当てとによって決定される情報ビット割振りに少なくとも部分的に基づいて決定され、前記相互情報伝達関数が、バイナリ消去チャネル(BEC)関数および補正項に基づく、手段と、
前記ポーラ符号を使用して前記ビット位置のセットにマップされた前記情報ビットベクトルを符号化して符号語を取得するための手段と、
前記符号語をワイヤレスチャネルを介して送信するための手段とを備える装置。
【請求項１５】
コンピュータにより実行されたときに前記コンピュータに請求項1、2、および5から12のうちのいずれか一項に記載の方法を実行させる命令を含む、コンピュータプログラム。